(57)【要約】【課題】内容物を吐出する前の待機状態でノズル筒が邪魔にならず、良好なデザイン性を維持できるうえ、吐出時における操作性に優れ、内容物を容易に吐出すること。【解決手段】容器本体２と、ノズル筒２１が形成された吐出ヘッド２０を備える吐出器３と、容器本体を前後方向に沿ってスライド移動可能に収容する収容体３０及び下降移動自在に収容体に装着された操作ヘッド３１を備える外容器４とを備え、操作ヘッドには、下降移動に伴って容器本体に突設された係合突部１２に摺接して容器本体を前方にスライド移動させる操作突片４２と、前記下降移動に伴って吐出ヘッドを押下する押下部とが設けられ、収容体には、前記スライド移動に伴ってノズル筒を通過させて外容器の外方に突出させるノズル窓３９、４３、及び容器本体を後方に向けてスライド移動させてノズル筒を元の位置に復帰させる第１付勢部材５１、５２が設けられている吐出容器１を提供する。【選択図】図６
2015143120.tif 000002
【特許請求の範囲】
【請求項１】
内容物が収容される容器本体と、
前後方向に延在し且つ前端に前記内容物を吐出する吐出孔が形成されたノズル筒を有し、前記容器本体に上方付勢状態で押下げ可能に装着された吐出ヘッドを備える吐出器と、
前記容器本体及び前記吐出器を前後方向に沿ってスライド移動可能に収容する収容体、及び前記吐出ヘッドの上方に配置され、前記吐出ヘッドに対して下降移動自在に前記収容体に装着された操作ヘッドを備える外容器と、を備え、
前記操作ヘッドには、
下方に向けて突設され、前記操作ヘッドの下降移動に伴って前記容器本体又は前記吐出器に突設された係合突部に摺接して、前記容器本体及び前記吐出器を前記外容器に対して前方に向けてスライド移動させる操作突片と、
前記操作ヘッドの下降移動に伴って前記吐出ヘッドを押下する押下部と、が備えられ、
前記外容器には、
該外容器に対する前記容器本体及び前記吐出器の前方へのスライド移動に伴って、前記ノズル筒を通過させて前記外容器の外方に突出させるノズル窓と、
前記外容器に対して前記容器本体及び前記吐出器を後方に向けてスライド移動させ、前記ノズル筒を元の位置に復帰させる第１付勢部材が備えられていることを特徴とする吐出容器。
【請求項２】
請求項１に記載の吐出容器において、
前記外容器には、前記収容体に対して前記操作ヘッドを上方に付勢する第２付勢部材が配設されていることを特徴とする吐出容器。
【請求項３】
請求項１又は２に記載の吐出容器において、
前記収容体には、前後方向に沿って前記容器本体をスライド移動可能にガイドするガイド部材が備えられていることを特徴とする吐出容器。
【請求項４】
請求項１から３のいずれか１項に記載の吐出容器において、
前記押下部は、前記吐出ヘッドの上方に間隔をあけて配置され、前記操作突片が前記容器本体及び前記吐出器をスライド移動させた後、前記吐出ヘッドに接して押下を開始することを特徴とする吐出容器。
【発明の詳細な説明】
【技術分野】
【０００１】
本発明は、吐出容器に関する。
【背景技術】
【０００２】
従来、例えば下記特許文献１に示されるような、前方に向けて延びるノズル筒を有し、内容物が収容される容器体に前後動自在に装着された吐出ヘッドと、容器体に装着され、吐出ヘッドを囲み且つ吐出ヘッドの前後動に伴ってノズル筒が出没する通過孔が形成されたカバー体と、を備える吐出容器が知られている。
この吐出容器によれば、内容物を吐出する前の待機状態で、ノズル筒をカバー体の内側に収容できるので、ノズル筒が邪魔になることを防止できるうえ、吐出容器の外観の見栄えの悪化を防止できる。
【先行技術文献】
【特許文献】
【０００３】
【特許文献１】実用新案登録第２５３９１８１号公報
【発明の概要】
【発明が解決しようとする課題】
【０００４】
しかしながら、上記従来の吐出容器では、内容物を吐出する際に、吐出ヘッドをカバー体に対して前進移動させてノズル筒を通過孔から突出させる操作と、吐出ヘッドを押下する操作と、を別々に行う必要がある。しかも、内容物の吐出後、吐出ヘッドをカバー体に対して後退移動させる操作も必要となる。このように、内容物を吐出するにあたって、複数の操作を別々に行う必要があり、操作性に改善の余地があった。
【０００５】
本発明は、このような事情に鑑みてなされたものであって、その目的は、内容物を吐出する前の待機状態でノズル筒が邪魔にならず、良好なデザイン性を維持できるうえ、吐出時における操作性に優れ、内容物を容易に吐出することができる吐出容器を提供することである。
【課題を解決するための手段】
【０００６】
上記の目的を達成するために、この発明は以下の手段を提供している。
（１）本発明に係る吐出容器は、内容物が収容される容器本体と、前後方向に延在し且つ前端に前記内容物を吐出する吐出孔が形成されたノズル筒を有し、前記容器本体に上方付勢状態で押下げ可能に装着された吐出ヘッドを備える吐出器と、前記容器本体及び前記吐出器を前後方向に沿ってスライド移動可能に収容する収容体、及び前記吐出ヘッドの上方に配置され、前記吐出ヘッドに対して下降移動自在に前記収容体に装着された操作ヘッドを備える外容器と、を備え、前記操作ヘッドには、下方に向けて突設され、前記操作ヘッドの下降移動に伴って前記容器本体又は前記吐出器に突設された係合突部に摺接して、前記容器本体及び前記吐出器を前記外容器に対して前方に向けてスライド移動させる操作突片と、前記操作ヘッドの下降移動に伴って前記吐出ヘッドを押下する押下部と、が備えられ、前記外容器には、該外容器に対する前記容器本体及び前記吐出器の前方へのスライド移動に伴って、前記ノズル筒を通過させて前記外容器の外方に突出させるノズル窓と、前記外容器に対して前記容器本体及び前記吐出器を後方に向けてスライド移動させ、前記ノズル筒を元の位置に復帰させる第１付勢部材が備えられていることを特徴とする。
【０００７】
この吐出容器によれば、操作ヘッドを下降移動させると、操作突片が係合突部に摺接して容器本体及び吐出器を外容器に対して前方に向けてスライド移動させるので、容器本体に装着されている吐出ヘッドを前方に向けてスライド移動させることができる。これにより、外容器の内側に収容されているノズル筒を、ノズル窓を通して外容器の外方に突出させることができる。
一方、操作ヘッドの下降移動に伴って、押下部が吐出ヘッドを押下するので、ノズル筒の吐出孔から内容物を吐出することができる。このとき、上述したようにノズル筒が外容器の外方に既に突出しているので、外容器に干渉されることなく内容物を吐出することができる。
【０００８】
内容物の吐出後、操作ヘッドの下降移動を解除すると、上方付勢された吐出ヘッドが元の位置に復帰するべく上昇移動するので、操作ヘッドが吐出ヘッドによって押し上げられて元の位置に復帰する。また、これと同時に、第１付勢部材が容器本体及び吐出器を外容器に対して後方に向けて付勢してスライド移動させるので、ノズル筒を元の位置に復帰させることができる。これにより、外容器内にノズル筒を再び収容することができる。
【０００９】
このように、操作ヘッドを下降移動させる１回の操作で、吐出ヘッドの前方移動操作と内容物の吐出操作とを一連の流れで同時に行うことができるので、内容物を容易に吐出することができ、吐出時における操作性を向上することできる。しかも、第１付勢部材が容器本体及び吐出器を後方移動させて、ノズル筒を元の位置に自然と復帰させるので、これによっても操作性を向上することができる。
また、内容物を吐出する前の待機状態時、外容器内にノズル筒を収容できるので、ノズル筒が邪魔になることを防止できると共に、外観の見栄えの悪化を防止して良好なデザイン性を維持することができる。
さらに、例えば吐出ヘッドを複雑に構成して、吐出ヘッドだけをスライド移動させるものとは異なり、容器本体又は吐出器に係合突部を突設させるだけの簡便な構成で、容器本体及び吐出器の全体をスライド移動させるので、構成の簡略化を図り易く、低コスト化に繋げ易い。
【００１０】
（２）前記外容器には、前記収容体に対して前記操作ヘッドを上方に付勢する第２付勢部材が配設されていても良い。
【００１１】
この場合には、内容物の吐出後、操作ヘッドの下降移動を解除した際に、第２付勢部材が操作ヘッドを上方に付勢して上昇移動させるので、吐出ヘッドによる押し上げに頼らずに、操作ヘッドをスムーズに元の位置に復帰させることができる。また、操作ヘッドの押し上げ負荷が軽減するので、吐出ヘッドについてもスムーズに元の位置に復帰させることができる。従って、操作性をさらに向上することができる。
【００１２】
（３）前記収容体には、前後方向に沿って前記容器本体をスライド移動可能にガイドするガイド部材が備えられていても良い。
【００１３】
この場合には、ガイド部材が容器本体のスライド移動をガイドするので、容器本体及び吐出器を容器軸回りに回転させることなく前後方向に沿ってより確実にスライド移動させることができる。従って、ノズル窓を通じてノズル筒を正確に出没させることができる。
【００１４】
（４）前記押下部は、前記吐出ヘッドの上方に間隔をあけて配置され、前記操作突片が前記容器本体及び前記吐出器をスライド移動させた後、前記吐出ヘッドに接して押下を開始しても良い。
【００１５】
この場合には、内容物を吐出する際、吐出ヘッドを前方移動させてノズル筒が外容器の外方に突出した後に、内容物を吐出することができる。従って、ノズル筒を前方移動させながら内容物を吐出することがないので、狙った位置に内容物を吐出させ易い。
【発明の効果】
【００１６】
本発明によれば、内容物を吐出する前の待機状態でノズル筒が邪魔にならず、良好なデザイン性を維持できるうえ、吐出時における操作性に優れ、内容物を容易に吐出することができる。
【図面の簡単な説明】
【００１７】
【図１】本発明に係る吐出容器の実施形態を示す縦断面図である。
【図２】図１に示す矢印Ａ−Ａ線に沿った断面図である。
【図３】図１に示す矢印Ｂ−Ｂ線に沿った断面図である。
【図４】図１に示す状態から操作ヘッドを下降移動させて、ノズル筒を外容器の前方にスライド移動させた状態を示す断面図である。
【図５】図４に示す矢印Ｃ−Ｃ線に沿った断面図である。
【図６】図４に示す状態から操作ヘッドをさらに下降移動させて、ノズル筒の吐出孔から内容物を吐出している状態を示す断面図である。
【発明を実施するための形態】
【００１８】
以下、本発明に係る吐出容器の実施形態について図面を参照して説明する。
（吐出容器の構成）
図１に示すように、本実施形態の吐出容器１は、内容物が収容される容器本体２と、内容物を吐出させる吐出器３と、容器本体２及び吐出器３を収容する外容器４と、を備えている。
なお、本実施形態ではポンプを利用して内容物を吐出するポンプタイプの吐出器３を例に挙げて説明する。また、内容物としては、特に限定されるものではなく、例えば液状、ジェル状やクリーム状であっても良い。
【００１９】
容器本体２及び吐出器３は、それぞれの中心軸線を共通軸上に位置した状態で配設されている。以下、この共通軸を容器軸Ｏといい、容器軸Ｏに沿った吐出器３側を上側、その反対側を下側という。また、容器軸Ｏ方向から見た平面視において、容器軸Ｏに直交する方向を径方向といい、容器軸Ｏ回りに周回する方向を周方向という。
さらに、径方向のうち、後述するノズル筒２１の吐出孔２１ａが向いた方向を前方、その反対方向を後方とし、これらを結ぶ方向を前後方向Ｌ１という。また、径方向のうち、前後方向Ｌ１に直交する方向を左右方向Ｌ２という。
【００２０】
（容器本体）
容器本体２は、上部に図示しない口部が形成された有底円筒状に形成され、内部に内容物が収容される主容器１０と、主容器１０を収容する有底円筒状の支持容器１１と、を備えている。
【００２１】
支持容器１１は、図１及び図２に示すように、主容器１０を径方向外側から囲む胴部１１ａと底部１１ｂとを備えている。胴部１１ａは、主容器１０のうち少なくとも下側半分を囲む高さに形成されている。これにより、主容器１０は、支持容器１１内で安定に支持されている。
【００２２】
支持容器１１の胴部１１ａにおける後方部分には、後方に向けて係合リブ（係合突部）１２が突設されている。この係合リブ１２は、支持容器１１の胴部１１ａに上下方向に沿って縦長に形成されている。
具体的には係合リブ１２は、胴部１１ａの下端部から、胴部１１ａの上端部よりも若干下方に位置する部分に亘って形成されている。係合リブ１２の上端部は、後方に向かうにしたがって、上方から下方に向けて漸次傾斜する傾斜面１２ａとされている。
なお、図示の例では、係合リブ１２は左右方向Ｌ２に平行に並ぶように複数（３つ）形成されている。但し、係合リブ１２の数はこの場合に限定されるものではなく、例えば左右方向Ｌ２に幅広の係合リブ１２を１つだけ設けても構わない。
【００２３】
さらに、支持容器１１の胴部１１ａにおける後方部分には、複数の上記係合リブ１２を左右方向Ｌ２から挟むように、２つの補助リブ１３が係合リブ１２と平行に形成されている。これら補助リブ１３は、後方に向けて係合リブ１２と同程度の突出量で突設されており、胴部１１ａの下端部から胴部１１ａの上端部に亘って縦長に形成されている。
【００２４】
支持容器１１の胴部１１ａの上端部及び下端部には、径方向外側に向けて突出した上部フランジ１４及び下部フランジ１５が形成されている。これら上部フランジ１４及び下部フランジ１５は、胴部１１ａの前方部分を除く部分に形成されていると共に、上記補助リブ１３に対して周方向から連結されるように形成されている。
なお、図２では、下部フランジ１５を図示しているが、図１に示す上部フランジ１４も同様の形状とされている。
【００２５】
（吐出器）
図１に示すように、吐出器３は、上方付勢状態で押し込み可能に起立した図示しないステムを有し、ステムの押し込みによって内容物を送り出す図示しないポンプ部と、吐出孔２１ａが形成されたノズル筒２１を有する吐出ヘッド２０と、を備えている。
【００２６】
ポンプ部は、主容器１０の口部に装着された装着キャップ２２に一体的に組み付けられたシリンダ筒２３と、シリンダ筒２３に上下摺動可能に挿入された図示しないピストン筒と、を有しており、ピストン筒の上部にステムが連通状態で取り付けられている。なお、ピストン筒及びステムは、図示しないコイルバネによって上方に付勢されている。
【００２７】
吐出ヘッド２０は、有頂筒状に形成され、上記ステムの上端部に取り付けられている。従って、吐出ヘッド２０は、主容器１０にステムを介して上方付勢状態で押下げ可能に装着されている。ノズル筒２１は、吐出ヘッド２０の側面の一部から容器軸Ｏの径方向外側に向けて突出している。なお、上述したように、ノズル筒２１の軸方向と前後方向Ｌ１とが一致している。
ノズル筒２１は、基端側が吐出ヘッド２０の内部でステムに連通しており、前端側に上記吐出孔２１ａが形成されている。従って、吐出ヘッド２０を押下することで、ノズル筒２１の吐出孔２１ａから内容物を前方に向けて吐出することが可能とされている。
【００２８】
（外容器）
外容器４は、容器本体２及び吐出器３を、前後方向Ｌ１に沿ってスライド移動可能に収容する収容体３０と、吐出ヘッド２０の上方に配置され、吐出ヘッド２０に対して下降移動自在に収容体３０に装着された操作ヘッド３１と、を備えている。
【００２９】
収容体３０は、第１収容体３２、第２収容体３３、及び底蓋３４を備えている。
第１収容体３２は、図１及び図２に示すように、容器本体２を径方向外側から囲む筒状に形成されている。図示の例では、第１収容体３２は、左右方向Ｌ２よりも前後方向Ｌ１に長い、横断面視長方形状に形成されている。これにより、第１収容体３２と容器本体２との間に、前後方向Ｌ１の隙間を確保することができ、容器本体２及び吐出器３の前後方向Ｌ１へのスライド移動が可能とされている。
但し、第１収容体３２の形状は、この場合に限定されるものではなく、容器本体２との間に前後方向Ｌ１の隙間を確保できれば、例えば横断面視で正方形状、多角形状、円形状や楕円状等であっても良い。
【００３０】
第１収容体３２における後方部分の内周面には、前方に向けて突出する縦長の凸リブ３５が形成されている。この凸リブ３５は、第１収容体３２の上下方向の略全長に亘って形成され、左右方向Ｌ２に沿った横幅が２つの補助リブ１３の間に収まる大きさとされている。
【００３１】
凸リブ３５のうち、支持容器１１に突設された係合リブ１２の傾斜面１２ａよりも下方に位置する部分は、係合リブ１２に対して後方から接している。これにより、凸リブ３５は、容器本体２の後方位置を位置決めしている。なお、凸リブ３５のうち、傾斜面１２ａよりも上方に位置する部分は、前方に向けてさらに突出しており、傾斜面１２ａの上方にせり出している。これにより凸リブ３５を、後述する操作突片４２の後方に配置させることができ、凸リブ３５を利用して操作突片４２の上下動、特に下降移動をガイドすることが可能とされている。また、凸リブ３５の上端部には、上方に向けて開口し、左右方向Ｌ２に延びるスリット状の溝部３６が形成されている。
【００３２】
図１及び図３に示すように、第２収容体３３は、第１収容体３２の上方に配置され、吐出器３及び吐出ヘッド２０を径方向外側から囲む筒状に形成されている。図示の例では、第２収容体３３は、第１収容体３２と同様に、左右方向Ｌ２よりも前後方向Ｌ１に長い横断面視長方形状に形成されている。
【００３３】
第２収容体３３は、第１収容体３２の上端部に対して上方からアンダーカット嵌合され、第１収容体３２に一体に組み合わされている。第２収容体３３における上端部の前方部分には、後方に向けて若干突出し、操作ヘッド３１の上方移動を規制する規制片３７が形成されている。第２収容体３３における上端部側の後方部分には、操作ヘッド３１の後方部分を露出させる切欠部３８が形成されている。この切欠部３８により、操作ヘッド３１の下降移動操作を容易に行うことが可能とされている。
【００３４】
さらに、第２収容体３３における前方部分には、ノズル筒２１を通過させる外側ノズル窓（ノズル窓）３９が形成されている。この外側ノズル窓３９は、ノズル筒２１に対して径方向に対向する位置から下方に向けて大きく開口する長穴形状となるように形成されている。
【００３５】
図１に示すように、底蓋３４は、第１収容体３２の下端部に対して下方からアンダーカット嵌合され、第１収容体３２に一体に組み合わされていると共に、第１収容体３２の下端開口部を閉塞している。
【００３６】
上記のように構成された収容体３０には、図１及び図２に示すように、前後方向Ｌ１に沿って容器本体２をスライド移動可能にガイドするスライドガイド（ガイド部材）４０が設けられている。
スライドガイド４０は、底蓋３４の内側に左右方向Ｌ２に向かい合うように配置され、下部フランジ１５に向けて突出し、且つ前後方向Ｌ１に延びるように形成されている。そして、スライドガイド４０は、支持容器１１に形成された下部フランジ１５に上方から接していると共に、下部フランジ１５を前後方向Ｌ１にスライド移動可能にガイドしている。これにより、容器本体２は、上方への抜け止めがされた状態で、前後方向Ｌ１にスライド移動可能とされている。
【００３７】
図１に示すように、操作ヘッド３１は、周壁部３１ａと頂壁部３１ｂとで吐出ヘッド２０を上方から覆う有頂筒状に形成されている。周壁部３１ａは、第２収容体３３の内側に上下動可能に嵌合している。この際、周壁部３１ａの下端部は、第１収容体３２に形成された凸リブ３５の上方に間隔をあけて配置されている。これにより、操作ヘッド３１は、凸リブ３５に干渉することなく下降移動が可能とされている。
周壁部３１ａと頂壁部３１ｂとの接続部分のうち、前方に位置する部分には、上記規制片３７に下方から接する段差部４１が形成されている。これにより、操作ヘッド３１は、規制片３７によって上方移動が規制され、上方への抜け止めがされている。
【００３８】
操作ヘッド３１には、該操作ヘッド３１の下降移動に伴って、容器本体２及び吐出器３を収容体３０に対して前方に向けてスライド移動させる操作突片４２と、このスライド移動に伴ってノズル筒２１を通過させる内側ノズル窓（ノズル窓）４３と、該操作ヘッド３１の下降移動に伴って吐出ヘッド２０を押下する押下部４４と、が設けられている。
【００３９】
操作突片４２は、図１〜図３に示すように、頂壁部３１ｂにおける後方部分から下方に向けて突設されている。具体的には、操作突片４２は、頂壁部３１ｂから吐出器３と第１収容体３２及び第２収容体３３との間を抜けながら下方に向けて延び、２つの補助リブ１３の間に上方から入り込むように形成されている。操作突片４２の下端部は、係合リブ１２の傾斜面１２ａに対応して傾斜するように形成され、且つ傾斜面１２ａに対して摺接している。
【００４０】
これにより、操作突片４２は、吐出ヘッド２０の下降移動に伴って係合リブ１２を前方に向けてスライド移動させることができ（図４参照）、その結果、外容器４に対して容器本体２及び吐出器３を前方にスライド移動させることが可能となる。
なお、上述したように、操作突片４２は、該操作突片４２の後方に配置された凸リブ３５によって下降移動が適切にガイドされるので、後方への撓み変形や捩じれ等の不正変形が生じ難く、確実に係合リブ１２を前方に向けて押圧して、スライド移動させることが可能とされている。また、図１及び図３に示すように、操作突片４２の略上半分には、吐出器３及び吐出ヘッド２０を径方向外側から囲む平面視半円形状のカバー筒４５が一体に形成されている。
【００４１】
図１に示すように、内側ノズル窓４３は、周壁部３１ａにおける前方部分に形成されている。具体的には、内側ノズル窓４３は、段差部４１の下方に位置する部分から下端部に至る範囲に亘って形成され、これにより下方に向けて開放されている。よって、操作ヘッド３１を下降移動させた際、ノズル筒２１は内側ノズル窓４３及び外側ノズル窓３９を通じて、外容器４の外方に突出することが可能となる（図４参照）。
【００４２】
押下部４４は、頂壁部３１ｂから下方に向かって突設され、吐出ヘッド２０の上方に間隔をあけて配置されている。これにより、押下部４４は、操作ヘッド３１の下降移動に伴って直ちに吐出ヘッド２０を押下するのではなく、若干の時間差をあけて押下する。具体的には、押下部４４は、操作突片４２が容器本体２及び吐出器３を外容器４に対して前方に向けてスライド移動させて、ノズル筒２１を外容器４から突出させた後、吐出ヘッド２０に上方から接して押下を開始する。
【００４３】
（第１付勢部材）
ところで、図１及び図２に示すように、収容体３０には、該収容体３０に対して容器本体２及び吐出器３の全体を後方に向けてスライド移動させ、前方に移動したノズル筒２１を元の位置に復帰させる２つの第１付勢部材５１、５２が設けられている。
【００４４】
第１付勢部材５１は、支持容器１１に対して前方から装着される平面視Ｃ形状の装着リング５３と、装着リング５３に連結されると共に、左右方向Ｌ２に沿って延び且つ前後方向Ｌ１に弾性変形する板ばね部５４と、を備え、支持容器１１の上端部に配置されている。
【００４５】
板ばね部５４は、左右方向Ｌ２の中間部が装着リング５３の前方部分に連結され、この連結部分から左右方向Ｌ２の両端部に向かうに従って前方に向けて湾曲している。そして、板ばね部５４は、両端部が第１収容体３２の内側に接することで、第１収容体３２に取り付けられている。このように板ばね部５４が湾曲しているので、第１付勢部材５１は支持容器１１を介して容器本体２及び吐出器３を後方に向けて付勢している。
なお、装着リング５３は、上部フランジ１４と支持容器１１の外周面に突設された位置決め突起５５との間で挟まれ、上下方向に位置決めされている。
【００４６】
第１付勢部材５２は、第１付勢部材５１と同様に装着リング５３と板ばね部５４とを備え、支持容器１１の下端部側に位置して、容器本体２及び吐出器３を後方に向けて付勢している。なお、第１付勢部材５２の装着リング５３は、支持容器１１の外周面に突設された２つの位置決め突起５５との間で挟まれ、上下方向に位置決めされている。
【００４７】
（第２付勢部材）
図１及び図３に示すように、外容器４には、収容体３０に対して操作ヘッド３１を上方に付勢する第２付勢部材６０が設けられている。
第２付勢部材６０は、第２収容体３３における後方部分の内側であって、且つ操作ヘッド３１の周壁部３１ａと第１収容体３２との間に配置されている。この第２付勢部材６０は、上下方向に弾性変形する２つの弾性アーム６１と、これら弾性アーム６１に連結された連結片６２と、を備えている。
【００４８】
弾性アーム６１は、上端部６１ａが周壁部３１ａにおける後方部分の下端部に例えば一体に連結され、下端部６１ｂが上記連結片６２に連結されている。連結片６２は、第１収容体３２に形成された凸リブ３５の溝部３６内に差し込まれて係止されている。これにより、弾性アーム６１は、上端部６１ａ及び下端部６１ｂがそれぞれ操作ヘッド３１及び第１収容体３２に対して連結され、自身の弾性力により収容体３０に対して操作ヘッド３１を上方に付勢している。
【００４９】
なお、弾性アーム６１は、操作ヘッド３１に形成されたカバー筒４５の径方向外側に配置されており、吐出器３に対する接触が防止されていることで、安定した作動性が確保されている。また、弾性アーム６１の上端部６１ａは操作ヘッド３１の周壁部３１ａに一体に連結されていなくても良く、例えば連結片を介して周壁部３１ａに係止されることで、連結されても良い。
【００５０】
（吐出容器の使用）
次に、上述したように構成された吐出容器１を使用する場合について説明する。
この場合には、図４に示すように操作ヘッド３１を指先等で押下して下降移動させると、操作突片４２の下端部が係合リブ１２の傾斜面１２ａに対して摺接しながら係合リブ１２を上方から押下するので、容器本体２及び吐出器３を外容器４に対して前方に向けてスライド移動させることができる。
これにより、吐出ヘッド２０を前方に向けてスライド移動させることができ、外容器４の内側に収容されているノズル筒２１を、内側ノズル窓４３及び外側ノズル窓３９を通じて、外容器４よりも前方に突出させることができる。
【００５１】
このとき、図５に示すように、第１付勢部材５１、５２の板ばね部５４が前方に向けて弾性変形した状態となる。なお、板ばね部５４の弾性変形によって、第１付勢部材５１、５２が容器本体２を後方に付勢するが、下降移動した操作突片４２が係合リブ１２の後方に進入するので、容器本体２の後方移動（復元）を抑制する。
また、図４に示すように、第２付勢部材６０の弾性アーム６１が上下方向に圧縮するように弾性変形すると共に、押下部４４が吐出ヘッド２０に対して上方から接した状態となる。
【００５２】
そして、操作ヘッド３１をさらに下降移動させると、押下部４４が吐出ヘッド２０を押下するので、図６に示すように、ノズル筒２１の吐出孔２１ａから内容物を前方に向けて吐出することができる。このとき、上述したようにノズル筒２１が外容器４の前方に既に突出しているので、操作ヘッド３１及び収容体３０に何ら干渉されることなく、内容物を吐出することができる。
なお、このとき第２付勢部材６０の弾性アーム６１は、上下方向にさらに圧縮するように弾性変形した状態となる。
【００５３】
内容物の吐出後、操作ヘッド３１の下降移動を解除すると、上方付勢された吐出ヘッド２０が元の位置に復帰するべく上昇移動すると共に、第２付勢部材６０の弾性アーム６１が復元変形する。従って、操作ヘッド３１は、吐出ヘッド２０及び弾性アーム６１によって上方に向けて押し上げられて元の位置に復帰する。
これにより、操作突片４２も上昇移動するので、操作突片４２による容器本体２の後方移動の抑制が解除される。従って、第１付勢部材５１、５２の板ばね部５４が復元変形することで、容器本体２及び吐出器３を外容器４に対して後方に向けてスライド移動させることができ、容器本体２及び吐出器３を元の位置に復帰させることができる。その結果、図１に示すように、外容器４内にノズル筒２１を再び収容することができる。
【００５４】
以上のように、操作ヘッド３１を下降移動させる１回の操作で、吐出ヘッド２０の前方移動操作と内容物の吐出操作とを一連の流れで同時に行うことができるので、内容物を容易に吐出でき、吐出時における操作性を向上することができる。
しかも、内容物の吐出後、第１付勢部材５１、５２が容器本体２及び吐出器３を後方移動させて、ノズル筒２１を元の位置に自然に復帰させるので、これによっても操作性を向上することができる。
【００５５】
また、内容物を吐出する前の待機状態時、外容器４内にノズル筒２１を収容できるので、ノズル筒２１が邪魔になることを防止できると共に、外観の見栄えの悪化を防止して良好なデザイン性を維持することができる。
【００５６】
また、内容物の吐出後、操作ヘッド３１の下降移動を解除した際に、第２付勢部材６０の弾性アーム６１が操作ヘッド３１を上方に付勢して上昇移動させるので、吐出ヘッド２０による押し上げに頼らずに、操作ヘッド３１をスムーズに元の位置に復帰させることができる。また、操作ヘッド３１の押し上げ負荷が軽減するので、吐出ヘッド２０についてもスムーズに元の位置に復帰させることができる。これらのことにより、操作性を効果的に向上することができる。
【００５７】
また、底蓋３４に形成されたスライドガイド４０が、容器本体２のスライド移動をガイドするので、容器本体２及び吐出器３を周方向に回転させることなく、前後方向Ｌ１に沿って確実にスライド移動させることができる。従って、内側ノズル窓４３及び外側ノズル窓３９を通じて、ノズル筒２１を正確に出没させることができる。
【００５８】
さらに、操作ヘッド３１の押下部４４が吐出ヘッド２０の上方に間隔をあけて配置されているので、内容物を吐出する際、吐出ヘッド２０を前方移動させて、ノズル筒２１が外容器４の前方に突出した後に、内容物を吐出することができる。従って、外容器４の前方で内容物を確実に吐出することができるうえ、ノズル筒２１を前方移動させながら内容物を吐出することがないので、狙った位置に内容物を吐出させ易い。
【００５９】
さらには、例えば吐出ヘッド２０を複雑に構成して、吐出ヘッド２０だけをスライド移動させるものとは異なり、容器本体２の支持容器１１に係合リブ１２を突設するだけの簡便な構成で、容器本体２及び吐出器３の全体をスライド移動させるので、構成の簡略化を図り易く、低コスト化に繋げ易い。
【００６０】
なお、本発明の技術範囲は、上記実施形態に限定されるものではなく、本発明の趣旨を逸脱しない範囲において、種々の変更を加えることが可能である。
【００６１】
例えば、上記実施形態では、ポンプ部を利用して内容物を吐出させるポンプタイプの吐出容器１を例に挙げて説明したが、この場合において、容器本体２の主容器１０として、例えば、ブロー成形容器、中皿摺動式容器、または積層剥離容器等、種々の構成を採用することができる。また、内容物を泡状で吐出するフォーマーポンプや、内容物を霧状に吐出するスプレーポンプ等であっても良い。
また、吐出器３として、いわゆるポンプ機構を有する構成に限らず、例えばエアゾール機構を有する構成（この場合、装着キャップとしてマウンテンカップを採用することが好ましい）等を採用しても良い。
【００６２】
また、上記実施形態において、第２付勢部材６０の形状は、収容体３０に対して操作ヘッド３１を上方に付勢できれば良く、種々の形状のものを採用することができる。また、第２付勢部材６０は必須なものではなく具備しなくても構わない。この場合には、吐出ヘッド２０の押し上げ、及び容器本体２の復帰に基づく係合リブ１２の傾斜面１２ａによる操作突片４２の押し上げによって操作ヘッド３１を上昇移動させて、元の位置に復帰させれば良い。
さらに、押下部４４を吐出ヘッド２０に対して間隔をあけずに接するように構成し、操作ヘッド３１の下降移動に伴って、容器本体２及び吐出器３の前方移動と内容物の吐出とを同時に行うようにしても良い。
【００６３】
さらに、操作ヘッド３１に内側ノズル窓４３を形成し、第２収容体３３に外側ノズル窓３９を形成したが、少なくともいずれか一方のノズル窓だけを形成すれば良い。なお、収容体３０を、第１収容体３２、第２収容体３３及び底蓋３４の３パーツで構成したが、それぞれを別体にする必要はなく、２パーツ若しくは１パーツとなるように形成しても構わない。
また、主容器１０と支持容器１１とで容器本体２を構成したが、例えば係合リブ１２付きの主容器１０とした場合には、支持容器１１は不要である。さらに、係合リブ１２を容器本体２ではなく吐出器３側に形成しても良い。
【符号の説明】
【００６４】
１…吐出容器
２…容器本体
３…吐出器
４…外容器
１２…係合リブ（係合突部）
２０…吐出ヘッド
２１…ノズル筒
２１ａ…吐出孔
３０…収容体
３１…操作ヘッド
３９…外側ノズル窓（ノズル窓）
４０…スライドガイド（ガイド部材）
４２…操作突片
４４…押下部
５１、５２…第１付勢部材
６０…第２付勢部材
【図１】
2015143120.tif 000003
【図２】
2015143120.tif 000004
【図３】
2015143120.tif 000005
【図４】
2015143120.tif 000006
【図５】
2015143120.tif 000007
【図６】
2015143120.tif 000008